(57)【要約】      （修正有）【課題】電動工具における先端工具のチャック機構への嵌脱が極めて簡単にでき、一旦嵌着した先端工具が、作業中にぶれたりしないようにする。【解決手段】ケース体ａは、一端部１に開口状の嵌挿部３を有し、嵌挿部３からケース体ａの他端部２にかけて、嵌挿部３の径よりも径が小さい第１小径貫通孔４と、第１小径貫通孔４より径が小さい第２小径貫通孔５と、第２小径貫通孔５より径が大きい拡径貫通孔６と、拡径貫通孔６と他端部２との間に運動変換機構Ｂの出力軸部７を螺着する螺孔８を設ける。ケース体ａに嵌挿可能な外径を有し、シャンク取付け体ｓの頭部１４ｂが嵌挿する貫通孔１８と、シャンク取付け体ｓのスプリング１７が係止する段部１８ａ付き拡径嵌挿孔１９を有する外側カバーｋを形成する。内側カバーｎを前記シャンク取付け体ｓの下方部より挿込み外側カバーｋと嵌着してチャック体ｂを形成する。【選択図】図１
0003132066.tif 000002
【実用新案登録請求の範囲】
【請求項１】
電動工具に装着し回転運動を直線運動に変換せしめる運動変換機構Ｂに接続の先端工具Ｃが着脱自在な電動工具のチャック機構Ａにおいて、
前記チャック機構Ａは、ケース体ａとチャック体ｂとからなり、前記ケース体ａは、一端部１に開口状の嵌挿部３を有し、前記嵌挿部３からケース体ａの他端部２にかけて、前記嵌挿部３の径よりも径が小さい第１小径貫通孔４と、且前記第１小径貫通孔４より径が小さい第２小径貫通孔５と、前記第２小径貫通孔５より径が大きい拡径貫通孔６と、前記拡径貫通孔６と前記他端部２との間に運動変換機構Ｂの出力軸部７を螺着する螺孔８を設け、前記ケース体ａの第１小径貫通孔４と第２小径貫通孔５とに下方部が嵌込み、且下端部が係止機構１１によって係止され、前記第１小径貫通孔４に飛出する部位にスプリング１２を捲廻する頭部１０付きピン９を、前記第１小径貫通孔４から前記嵌挿部３に嵌挿せしめ、前記嵌挿部３と前記第１小径貫通孔４に嵌挿し、内側部に貫通孔１３を、外周部１４ａに係止部１５を、且前記貫通孔１３の前方部の開口部１４と前記係止部１５との間に前記開口部１４の側方を上方とし、前記貫通孔１３に達する傾斜状切込み部１６を形成し、前記係止部１５と前記傾斜状切込み部１６との間の外周部１４ａにスプリング１７を捲廻し、且前記スプリング１７の上方部を前記傾斜状切込み部１６に嵌挿し、前記スプリング１７の下方部を前記係止部１５に係止する先端工具Ｃのシャンク２４を嵌脱するシャンク取付け体ｓを形成し、前記ケース体ａに嵌挿可能な外径を有し、且前記シャンク取付け体ｓの頭部１４ｂが嵌挿する貫通孔１８と、前記シャンク取付け体ｓのスプリング１７が係止する段部１８ａ付き拡径嵌挿孔１９を有する外側カバーｋを形成し、後方部に前記シャンク取付け体ｓの係止部１５に係止する鍔部２０を、且前記スプリング１７の外側方を被覆し前記外側カバーｋに嵌挿する内側カバーｎを形成し、前記外側カバーｋの貫通孔１８に前記シャンク取付け体ｓの頭部１４ｂを嵌挿すると共に、前記内側カバーｎを前記シャンク取付け体ｓの下方部より挿込み前記外側カバーｋと嵌着してチャック体ｂを形成し、前記先端工具Ｃを構成するシャンク２４の底部２２に前記ピン９の頭部１０に嵌合する受部２３と、前記シャンク２４の外周部２４ａに前記スプリング１７が係止する凹溝２５を形成せしめ、前記ケース体ａとチャック体ｂとを組立て前記チャック機構Ａとし、前記シャンク取付け体ｓの貫通孔１３に、前記先端工具Ｃのシャンク２４を嵌挿し、前記ピン９の頭部１０が前記底部２２の受部２３内に嵌合し、前記凹溝２５の一部に前記貫通孔１３より飛出するスプリング１７が嵌込み、前記外側カバーｋを押圧すると前記スプリング１７が前記凹溝２５から離脱し、前記先端工具Ｃがシャンク取付け体ｓに嵌脱自在とすることを特徴とする電動工具における先端工具のチャック機構。
【請求項２】
前記ピン９の頭部１０が台形状のときは、先端工具Ｃのシャンク２４の底部２２の受部２３も台形状とすることを特徴とする請求項１記載の電動工具における先端工具のチャック機構。
【請求項３】
前記ピン９の頭部９ａが角形状のときは、先端工具Ｃのシャンク２４の底部２２の受部２３も角形状とすることを特徴とする請求項１記載の電動工具における先端工具のチャック機構。
【請求項４】
前記ケース体ａの一端部寄りの外周部３ａに突起部２６を形成せしめることを特徴とする請求項１又は同２又は同３記載の電動工具における先端工具のチャック機構。
【請求項５】
電動工具に装着し回転運動を直線運動に変換せしめる運動変換機構Ｂに接続の先端工具Ｃが着脱自在な電動工具における先端工具のチャック機構Ａにおいて、
前記チャック機構Ａは、ケース体ａとチャック体ｂとからなり、前記ケース体ａは、一端部１に開口状の嵌挿部３を有し、前記嵌挿部３からケース体ａの他端部２にかけて、前記嵌挿部３の径よりも径が小さい角形状嵌挿部４ａを形成し、前記角形状嵌挿部４ａと前記他端部２との間に運動変換機構Ｂの出力軸部７を螺着する螺孔８を設け、前記嵌挿部３と前記角形状嵌挿部４ａに嵌挿し、内側部に貫通孔１３を外周部１４ａに係止部１５を、且前記貫通孔１３の前方開口部１４と前記係止部１５との間に前記開口部１４の側方を上方とし、前記貫通孔１３に達する傾斜状切込み部１６を形成し、前記係止部１５と前記傾斜状切込み部１６との間の外周部１４ａにスプリング１７を捲廻し、且前記スプリング１７の上方部を前記傾斜状切込み部１６に嵌挿し、前記スプリング１７の下方部を前記係止部１５に係止する先端工具Ｃのシャンク２４を嵌脱するシャンク取付け体ｓを形成し、前記ケース体ａに嵌挿可能な外径を有し、且前記シャンク取付け体ｓの頭部１４ｂが嵌挿する貫通孔１８と、前記シャンク取付け体ｓのスプリング１７が係止する段部１８ａ付き拡径嵌挿孔１９を有する外側カバーｋを形成し、後方部に前記シャンク取付け体ｓの係止部１５に係止する鍔部２０を、且前記スプリング１７の外側方を被覆し前記外側カバーｋに嵌挿する内側カバーｎを形成し、前記外側カバーｋの貫通孔１８に前記シャンク取付け体ｓの頭部１４ｂを嵌挿すると共に、前記内側カバーｎを前記シャンク取付け体ｓの下方部より挿込み前記外側カバーｋと嵌着してチャック体ｂを形成し、前記チャック体ｂを構成するシャンク取付け体ｓの頭部１４ｂと反対側の部位を、前記ケース体ａの角形状嵌挿部４ａに嵌挿して前記先端工具Ｃを構成するシャンク２４の外周部２４ａに前記スプリング１７が係止する凹溝２５を形成せしめると共に、前記ケース体ａとチャック体ｂとを組立て前記チャック機構Ａとし、前記チャック体ｂのシャンク取付け体ｓの貫通孔１３に、前記先端工具Ｃのシャンク２４を嵌挿して、前記凹溝２５の一部に前記貫通孔１３より飛出するスプリング１７が嵌込み、前記外側カバーｋを押圧すると前記スプリング１７が前記凹溝２５から離脱し、前記先端工具Ｃがシャンク取付け体ｓに嵌脱自在とすることを特徴とする電動工具における先端工具のチャック機構。
【請求項６】
前記ケース体ａの一端部寄りの外周部３ａに突起部２６を形成せしめることを特徴とする請求項５記載の電動工具における先端工具のチャック機構。
【請求項７】
電動工具に装着し回転運動を直線運動に変換せしめる運動変換機構Ｂに接続の先端工具Ｃが着脱自在な電動工具のチャック機構Ａにおいて、
前記チャック機構Ａは、ケース体ａとチャック体ｂとからなり、前記ケース体ａは、一端部１に開口状の嵌挿部３を有し、前記嵌挿部３からケース体ａの他端部２にかけて、前記嵌挿部３の径よりも径が小さい第１小径貫通孔４と、且前記第１小径貫通孔４より径が小さい第２小径貫通孔５と、前記第２小径貫通孔５より径が大きい拡径貫通孔６と、前記拡径貫通孔６と前記他端部２との間に運動変換機構Ｂの出力軸部７を螺着する螺孔８を設け、前記ケース体ａの第１小径貫通孔４と第２小径貫通孔５とに下方部が嵌込み、且下端部が係止機構１１によって係止され、前記第１小径貫通孔４に飛出する部位にスプリング１２を捲廻する頭部１０付きピン９を、前記第１小径貫通孔４から前記嵌挿部３に嵌挿せしめ、前記嵌挿部３と前記第１小径貫通孔４に嵌挿し、内側部に貫通孔１３を、且外周部１４ａに係止部１５を、且前記貫通孔１３の前方部の開口部１４と前記係止部１５との間に球体１６ｂの貫通孔１６ａを形成し、前記係止部１５と前記貫通孔１６ａとの間の外周部１４ａにスプリング１７を捲廻し、且前記開口部１４の寄りの外周部１４ａの先端部に形成した凹部１６ａに止めリング１６ｃを嵌挿し、且前記先端工具Ｃのシャンク２４を嵌脱するシャンク取付け体ｓを形成し、前記嵌挿部３と前記第１小径貫通孔４に嵌挿し、前記ケース体ａに嵌挿可能な外径を有し、且前記シャンク取付け体ｓの頭部１４ｂが嵌挿する貫通孔１８と、前記シャンク取付け体ｓのスプリング１７が係止する段部１８ａ付き拡径嵌挿孔１９を有する外側カバーｋを形成し、前記外側カバーｋの貫通孔１８と前記段部１８ａとの間に、前記球体１６ｂが嵌挿する凹部１８ｂを形成し、前記シャンク取付け体ｓと前記外側カバーｋとをもってチャック体ｂを形成し、前記先端工具Ｃを構成するシャンク２４の底部２２に前記ピン９の頭部１０に嵌合する受部２３と、前記シャンク２４の外周部２４ａに前記球体１６ｂが係止する凹溝２５を形成せしめ、前記ケース体ａとチャック体ｂとを組立て前記チャック機構Ａとし、前記シャンク取付け体ｓの貫通孔１３に、前記先端工具Ｃのシャンク２４を嵌挿し、前記ピン９の頭部１０が前記底部２２の受部２３内に嵌合し、前記凹溝２５の一部に前記貫通孔１６ａに嵌挿する前記球体１６ｂが嵌込み、前記外側カバーｋを押圧すると前記球体１６ｂが前記凹溝２５から離脱し、前記先端工具Ｃがシャンク取付け体ｓに嵌脱自在とすることを特徴とする電動工具における先端工具のチャック機構。
【請求項８】
前記先端工具Ｃがスクレーパー、もしくはハンマーもしくはたがねであることを特徴とする請求項１又は同２又は同３又は同４又は同５又は同６又は同７記載の電動工具における先端工具のチャック機構。
【考案の詳細な説明】
【技術分野】
【０００１】
本考案は、電動工具に装着し回転運動を直線運動に変換せしめる運動変換機構に接続する先端工具（スクレーパー、ハンマー、たがね等）が着脱自在な電動工具における先端工具のチャック機構の分野に関するものである。
【背景技術】
【０００２】
従来、電動工具において先端工具を装着する運動変換アダプターの前方部に軸着せしめるチャック機構として、実用新案登録第３１１７７８５号登録実用新案公報が開示されている。
【０００３】
前記開示の登録実用新案の電動工具に装着する運動変換アダプターを構成の先端工具を装着するチャック部７は、図４の断面図と段落［０００４］において、チャック部７は、先端工具を把持する一対のチャック爪２２と、チャック爪２２を保持して出力軸６に固定した受け部２３と、チャック爪２２に外嵌して受け部２３に螺合装着する頭部締め付け部２４とを備え、頭部締付け部２４の内周テーパー面で双方のチャック爪２２を相互に押圧して先端工具を把持する。と明示されている。
【０００４】
さらに、前記開示の公報の段落［０００６］においては、この出力軸６の出退によってチャック部７および先端工具のスクレーパー２５が出退して剥離、切削等の作業を行う。と明示されている。
【０００５】
従って、前記開示のチャック部７の機構は、前記スクレーパー２５の脚部を把持するのに、前記スクレーパー２５の脚部をチャック爪２２に挿入した後、頭部締付け部２４の内周のテーパー面で双方のチャック爪２２を押圧して把持するものである。
【０００６】
しかし、前記チャック機構は、頭部締め付け部２４を回動せしめて前記チャック爪２２を締付けているため、前記先端工具のスクレーパー２５を取外すとき、強く締付けると、前記頭部締付け部２４が容易に馳緩せしめることができない弊害がある。そのためスクレーパー２５の取外し作業がやりにくく、作業能率を阻害せしめるおそれがあった。
【０００７】
さらに、前記とは反対に、取外しを考慮に入れて前記頭部締め付け部２４を弱く締め付けると、作業中に装着中のスクレーパー２５がぶれるおそれがあった。
【特許文献１】登録第３１１７７８５号登録実用新案公報
【考案の開示】
【考案が解決しようとする課題】
【０００８】
上記のように電動工具における先端工具のチャック機構は、現場における作業性を高めるために、先端工具の形状もしくは種類に応じて、確実且短時間で嵌脱ができることが要求されている。
【０００９】
さらに、チャック機構に嵌着した前記先端工具は、作業中にぶれて作業性を悪化させないことも要求されている。
【００１０】
しかるに、本考案は、上記のような課題を解決するものであり、電動工具における先端工具のチャック機構への嵌脱が極めて簡単にして、且極めて容易にできると共に、一旦嵌着した先端工具が、作業中にぶれたりしない電動工具における先端工具のチャック機構を提供することを目的としたものである。
【課題を解決するための手段】
【００１１】
本考案の課題を解決するための手段としての請求項１記載の考案は、電動工具に装着し回転運動を直線運動に変換せしめる運動変換機構Ｂに接続の先端工具Ｃが着脱自在な電動工具のチャック機構Ａにおいて、前記チャック機構Ａは、ケース体ａとチャック体ｂとからなり、前記ケース体ａは、一端部１に開口状の嵌挿部３を有し、前記嵌挿部３からケース体ａの他端部２にかけて、前記嵌挿部３の径よりも径が小さい第１小径貫通孔４と、且前記第１小径貫通孔４より径が小さい第２小径貫通孔５と、前記第２小径貫通孔５より径が大きい拡径貫通孔６と、前記拡径貫通孔６と前記他端部２との間に運動変換機構Ｂの出力軸部７を螺着する螺孔８を設け、前記ケース体ａの第１小径貫通孔４と第２小径貫通孔５とに下方部が嵌込み、且下端部が係止機構１１によって係止され、前記第１小径貫通孔４に飛出する部位にスプリング１２を捲廻する頭部１０付きピン９を、前記第１小径貫通孔４から前記嵌挿部３に嵌挿せしめ、前記嵌挿部３と前記第１小径貫通孔４に嵌挿し、内側部に貫通孔１３を、外周部１４ａに係止部１５を、且前記貫通孔１３の前方部の開口部１４と前記係止部１５との間に前記開口部１４の側方を上方とし、前記貫通孔１３に達する傾斜状切込み部１６を形成し、前記係止部１５と前記傾斜状切込み部１６との間の外周部１４ａにスプリング１７を捲廻し、且前記スプリング１７の上方部を前記傾斜状切込み部１６に嵌挿し、前記スプリング１７の下方部を前記係止部１５に係止する先端工具Ｃのシャンク２４を嵌脱するシャンク取付け体ｓを形成し、前記ケース体ａに嵌挿可能な外径を有し、且前記シャンク取付け体ｓの頭部１４ｂが嵌挿する貫通孔１８と、前記シャンク取付け体ｓのスプリング１７が係止する段部１８ａ付き拡径嵌挿孔１９を有する外側カバーｋを形成し、後方部に前記シャンク取付け体ｓの係止部１５に係止する鍔部２０を、且前記スプリング１７の外側方を被覆し前記外側カバーｋに嵌挿する内側カバーｎを形成し、前記外側カバーｋの貫通孔１８に前記シャンク取付け体ｓの頭部１４ｂを嵌挿すると共に、前記内側カバーｎを前記シャンク取付け体ｓの下方部より挿込み前記外側カバーｋと嵌着してチャック体ｂを形成し、前記先端工具Ｃを構成するシャンク２４の底部２２に前記ピン９の頭部１０に嵌合する受部２３と、前記シャンク２４の外周部２４ａに前記スプリング１７が係止する凹溝２５を形成せしめ、前記ケース体ａとチャック体ｂとを組立て前記チャック機構Ａとし、前記シャンク取付け体ｓの貫通孔１３に、前記先端工具Ｃのシャンク２４を嵌挿し、前記ピン９の頭部１０が前記底部２２の受部２３内に嵌合し、前記凹溝２５の一部に前記貫通孔１３より飛出するスプリング１７が嵌込み、前記外側カバーｋを押圧すると前記スプリング１７が前記凹溝２５から離脱し、前記先端工具Ｃがシャンク取付け体ｓに嵌脱自在とすることを特徴とする電動工具における先端工具のチャック機構である。
【００１２】
さらに本考案の請求項２記載の考案は、前記ピン９の頭部１０が台形状のときは、先端工具Ｃのシャンク２４の底部２２の受部２３も台形状とすることを特徴とする請求項１記載の電動工具における先端工具のチャック機構である。
【００１３】
また本考案の請求項３記載の考案は、前記ピン９の頭部１０が角形状のときは、先端工具Ｃのシャンク２４の底部２２の受部２３も角形状とすることを特徴とする請求項１記載の電動工具における先端工具のチャック機構である。
【００１４】
さらに本考案の請求項４記載の考案は、前記ケース体ａの一端部寄りの外周部３ａに突起部２６を形成せしめることを特徴とする請求項１又は同２又は同３記載の電動工具における先端工具のチャック機構である。
【００１５】
また本考案の請求項５記載の考案は、電動工具に装着し回転運動を直線運動に変換せしめる運動変換機構Ｂに接続の先端工具Ｃが着脱自在な電動工具における先端工具のチャック機構Ａにおいて、前記チャック機構Ａは、ケース体ａとチャック体ｂとからなり、前記ケース体ａは、一端部１に開口状の嵌挿部３を有し、前記嵌挿部３からケース体ａの他端部２にかけて、前記嵌挿部３の径よりも径が小さい角形状嵌挿部４ａを形成し、前記角形状嵌挿部４ａと前記他端部２との間に運動変換機構Ｂの出力軸部７を螺着する螺孔８を設け、前記嵌挿部３と前記角形状嵌挿部４ａに嵌挿し、内側部に貫通孔１３を外周部１４ａに係止部１５を、且前記貫通孔１３の前方開口部１４と前記係止部１５との間に前記開口部１４の側方を上方とし、前記貫通孔１３に達する傾斜状切込み部１６を形成し、前記係止部１５と前記傾斜状切込み部１６との間の外周部１４ａにスプリング１７を捲廻し、且前記スプリング１７の上方部を前記傾斜状切込み部１６に嵌挿し、前記スプリング１７の下方部を前記係止部１５に係止する先端工具Ｃのシャンク２４を嵌脱するシャンク取付け体ｓを形成し、前記ケース体ａに嵌挿可能な外径を有し、且前記シャンク取付け体ｓの頭部１４ｂが嵌挿する貫通孔１８と、前記シャンク取付け体ｓのスプリング１７が係止する段部１８ａ付き拡径嵌挿孔１９を有する外側カバーｋを形成し、後方部に前記シャンク取付け体ｓの係止部１５に係止する鍔部２０を、且前記スプリング１７の外側方を被覆し前記外側カバーｋに嵌挿する内側カバーｎを形成し、前記外側カバーｋの貫通孔１８に前記シャンク取付け体ｓの頭部１４ｂを嵌挿すると共に、前記内側カバーｎを前記シャンク取付け体ｓの下方部より挿込み前記外側カバーｋと嵌着してチャック体ｂを形成し、前記チャック体ｂを構成するシャンク取付け体ｓの頭部１４ｂと反対側の部位を、前記ケース体ａの角形状嵌挿部４ａに嵌挿して前記先端工具Ｃを構成するシャンク２４の外周部２４ａに前記スプリング１７が係止する凹溝２５を形成せしめると共に、前記ケース体ａとチャック体ｂとを組立て前記チャック機構Ａとし、前記チャック体ｂのシャンク取付け体ｓの貫通孔１３に、前記先端工具Ｃのシャンク２４を嵌挿して、前記凹溝２５の一部に前記貫通孔１３より飛出するスプリング１７が嵌込み、前記外側カバーｋを押圧すると前記スプリング１７が前記凹溝２５から離脱し、前記先端工具Ｃがシャンク取付け体ｓに嵌脱自在とすることを特徴とする電動工具における先端工具のチャック機構である。
【００１６】
さらに本考案の請求項６記載の考案は、前記ケース体ａの一端部寄りの外周部３ａに突起部２６を形成せしめることを特徴とする請求項５記載の電動工具における先端工具のチャック機構である。
【００１７】
また本考案の請求項７記載の考案は、電動工具に装着し回転運動を直線運動に変換せしめる運動変換機構Ｂに接続の先端工具Ｃが着脱自在な電動工具のチャック機構Ａにおいて、前記チャック機構Ａは、ケース体ａとチャック体ｂとからなり、前記ケース体ａは、一端部１に開口状の嵌挿部３を有し、前記嵌挿部３からケース体ａの他端部２にかけて、前記嵌挿部３の径よりも径が小さい第１小径貫通孔４と、且前記第１小径貫通孔４より径が小さい第２小径貫通孔５と、前記第２小径貫通孔５より径が大きい拡径貫通孔６と、前記拡径貫通孔６と前記他端部２との間に運動変換機構Ｂの出力軸部７を螺着する螺孔８を設け、前記ケース体ａの第１小径貫通孔４と第２小径貫通孔５とに下方部が嵌込み、且下端部が係止機構１１によって係止され、前記第１小径貫通孔４に飛出する部位にスプリング１２を捲廻する頭部１０付きピン９を、前記第１小径貫通孔４から前記嵌挿部３に嵌挿せしめ、前記嵌挿部３と前記第１小径貫通孔４に嵌挿し、内側部に貫通孔１３を、且外周部１４ａに係止部１５を、且前記貫通孔１３の前方部の開口部１４と前記係止部１５との間に球体１６ｂの貫通孔１６ａを形成し、前記係止部１５と前記貫通孔１６ａとの間の外周部１４ａにスプリング１７を捲廻し、且前記開口部１４の寄りの外周部１４ａの先端部に形成した凹部１６ａに止めリング１６ｃを嵌挿し、且前記先端工具Ｃのシャンク２４を嵌脱するシャンク取付け体ｓを形成し、前記嵌挿部３と前記第１小径貫通孔４に嵌挿し、前記ケース体ａに嵌挿可能な外径を有し、且前記シャンク取付け体ｓの頭部１４ｂが嵌挿する貫通孔１８と、前記シャンク取付け体ｓのスプリング１７が係止する段部１８ａ付き拡径嵌挿孔１９を有する外側カバーｋを形成し、前記外側カバーｋの貫通孔１８と前記段部１８ａとの間に、前記球体１６ｂが嵌挿する凹部１８ｂを形成し、前記シャンク取付け体ｓと前記外側カバーｋとをもってチャック体ｂを形成し、前記先端工具Ｃを構成するシャンク２４の底部２２に前記ピン９の頭部１０に嵌合する受部２３と、前記シャンク２４の外周部２４ａに前記球体１６ｂが係止する凹溝２５を形成せしめ、前記ケース体ａとチャック体ｂとを組立て前記チャック機構Ａとし、前記シャンク取付け体ｓの貫通孔１３に、前記先端工具Ｃのシャンク２４を嵌挿し、前記ピン９の頭部１０が前記底部２２の受部２３内に嵌合し、前記凹溝２５の一部に前記貫通孔１６ａに嵌挿する前記球体１６ｂが嵌込み、前記外側カバーｋを押圧すると前記球体１６ｂが前記凹溝２５から離脱し、前記先端工具Ｃがシャンク取付け体ｓに嵌脱自在とすることを特徴とする電動工具における先端工具のチャック機構である。
【００１８】
また本考案の請求項８記載の考案は、前記先端工具Ｃがスクレーパー、もしくはハンマーもしくはたがねであることを特徴とする請求項１又は同２又は同３又は同４又は同５又は同６又は同７記載の電動工具における先端工具のチャック機構である。
【考案の効果】
【００１９】
本考案の電動工具における先端工具のチャック機構の請求項１記載の考案は、電動工具に装着し回転運動を直線運動に変換せしめる運動変換機構Ｂに接続の先端工具Ｃが着脱自在な電動工具のチャック機構Ａにおいて、前記チャック機構Ａは、ケース体ａとチャック体ｂとからなり、前記ケース体ａは、一端部１に開口状の嵌挿部３を有し、前記嵌挿部３からケース体ａの他端部２にかけて、前記嵌挿部３の径よりも径が小さい第１小径貫通孔４と、且前記第１小径貫通孔４より径が小さい第２小径貫通孔５と、前記第２小径貫通孔５より径が大きい拡径貫通孔６と、前記拡径貫通孔６と前記他端部２との間に運動変換機構Ｂの出力軸部７を螺着する螺孔８を設け、前記ケース体ａの第１小径貫通孔４と第２小径貫通孔５とに下方部が嵌込み、且下端部が係止機構１１によって係止され、前記第１小径貫通孔４に飛出する部位にスプリング１２を捲廻する頭部１０付きピン９を、前記第１小径貫通孔４から前記嵌挿部３に嵌挿せしめ、前記嵌挿部３と前記第１小径貫通孔４に嵌挿し、内側部に貫通孔１３を、外周部１４ａに係止部１５を、且前記貫通孔１３の前方部の開口部１４と前記係止部１５との間に前記開口部１４の側方を上方とし、前記貫通孔１３に達する傾斜状切込み部１６を形成し、前記係止部１５と前記傾斜状切込み部１６との間の外周部１４ａにスプリング１７を捲廻し、且前記スプリング１７の上方部を前記傾斜状切込み部１６に嵌挿し、前記スプリング１７の下方部を前記係止部１５に係止する先端工具Ｃのシャンク２４を嵌脱するシャンク取付け体ｓを形成し、前記ケース体ａに嵌挿可能な外径を有し、且前記シャンク取付け体ｓの頭部１４ｂが嵌挿する貫通孔１８と、前記シャンク取付け体ｓのスプリング１７が係止する段部１８ａ付き拡径嵌挿孔１９を有する外側カバーｋを形成し、後方部に前記シャンク取付け体ｓの係止部１５に係止する鍔部２０を、且前記スプリング１７の外側方を被覆し前記外側カバーｋに嵌挿する内側カバーｎを形成し、前記外側カバーｋの貫通孔１８に前記シャンク取付け体ｓの頭部１４ｂを嵌挿すると共に、前記内側カバーｎを前記シャンク取付け体ｓの下方部より挿込み前記外側カバーｋと嵌着してチャック体ｂを形成し、前記先端工具Ｃを構成するシャンク２４の底部２２に前記ピン９の頭部１０に嵌合する受部２３と、前記シャンク２４の外周部２４ａに前記スプリング１７が係止する凹溝２５を形成せしめ、前記ケース体ａとチャック体ｂとを組立て前記チャック機構Ａとし、前記シャンク取付け体ｓの貫通孔１３に、前記先端工具Ｃのシャンク２４を嵌挿し、前記ピン９の頭部１０が前記底部２２の受部２３内に嵌合し、前記凹溝２５の一部に前記貫通孔１３より飛出するスプリング１７が嵌込み、前記外側カバーｋを押圧すると前記スプリング１７が前記凹溝２５から離脱し、前記先端工具Ｃがシャンク取付け体ｓに嵌脱自在とすることを特徴とする電動工具における先端工具のチャック機構なので、スクレーパー等の先端工具のシャンクをシャンク取付け体の貫通孔に嵌挿すると、スプリングが前記シャンクの凹溝に嵌込み容易に抜出しないし、さらに前記ピンの頭部が、前記受部に嵌合しぶれ現象を阻止し作業性を著しく良好にせしめる利点を有している。
【００２０】
さらに本考案は、前記外側カバーを押圧すると、前記外側カバーの段部が降下しながら前記傾斜状切込み部に嵌込んでいる前記スプリングが同時に降下して、前記シャンクの凹溝から離脱する。そのため前記先端工具を前記チャック機構から確実に分離できる利点を有している。
【００２１】
そのため、本考案の先端工具のチャック機構は、従来の先端工具のチャック機構よりも優れた利点を有している。
【００２２】
さらに本考案の電動工具における先端工具のチャック機構の請求項２記載の考案は、前記ピンの頭部と、前記先端工具のシャンクの受部とが確実に嵌合するので、前記先端工具は、作業中にぶれ現象を起すことがない。そのため本考案は、作業性は良好で作業能率をも著しく高めることができる。
【００２３】
また前記請求項２記載の考案は、前記ピンの頭部が台形状のときは、受部も台形状としたので、前記受部に前記頭部が嵌合してもぶれ現象が生じない。そのため作業性は良好で作業能率をも著しく高めることができる利点を有している。
【００２４】
さらに請求項１記載の考案と同じ効果を有している。
【００２５】
また前記請求項３記載の考案は、前記ピンの頭部が角形状のときは、前記受部の形状も角形状としたので、前記受部に前記頭部が嵌合してもぶれ現象が生じない。さらに前記請求項１又は同２記載の効果と同じ効果を有している。
【００２６】
本考案の請求項４記載の考案は、前記ケース体の外周部に突起部を有しているので、作業時に手指が係止して作業性が良好となった。
【００２７】
さらに前記請求項１又は同２又は同３記載の考案の効果と同じ効果を有している。
【００２８】
請求項５記載の考案は、前記チャック体のシャンク取付け体の貫通孔に、前記先端工具のシャンクを嵌挿すると、前記凹溝の一部に前記貫通孔より飛出するスプリングが嵌込み、前記先端工具が前記チャック機構に確実に嵌込むと共に、前記先端工具を離脱させるときは、前記外側カバーを若干押圧するだけで、前記スプリングが前記凹溝から離脱し、先端工具を前記チャック機構から容易に離脱できる利点を有している。
【００２９】
さらに、請求項６記載の考案は、前記請求項５記載の考案と同じ効果を有している。
【００３０】
また、請求項７記載の考案は、前記チャック体のシャンク取付け体の貫通孔に、前記先端工具のシャンクを嵌挿すると、段部がスプリングを押圧して前記貫通孔に挿入し、且前記凹溝内に嵌挿中の前記球体が、前記凹溝に球体が挿入して前記先端工具を確実に固着できる。
【００３１】
さらに、前記先端工具が前記球体によって不意の離脱が阻止されている状態から、前記外側カバーを若干押圧するだけで、前記球体が前記凹溝から離脱し、先端工具が前記チャック機構から容易に離脱できる利点を有している。
【００３２】
また、請求項８記載の考案は、前記請求項１又は同２又は同３又は同４又は同５同６又は同７記載の考案の効果と同じ効果を有している。
【考案を実施するための最良の形態】
【００３３】
本考案の請求項１〜８記載の考案に関する実施の形態は、共通しているので以下のとおり一括して説明する。
【００３４】
図面において、Ａは電動工具に装着し回転運動を直線運動に変換せしめる運動変換機構Ｂに接続の先端工具Ｃが着脱自在な電動工具のチャック機構である。
【００３５】
前記チャック機構Ａは、ケース体ａとチャック体ｂとから構成されている。
【００３６】
さらに、前記ケース体ａは、一端部１に開口状の嵌挿部３を有し、前記嵌挿部３からケース体ａの他端部２にかけて、前記嵌挿部３の径よりも径が小さい第１小径貫通孔４と、且前記第１小径貫通孔４より径が小さい第２小径貫通孔５と、前記第２小径貫通孔５より径が大きい拡径貫通孔６を形成する。
【００３７】
そして、前記拡径貫通孔６と前記他端部２との間には、運動変換機構Ｂの出力軸部７を螺着する螺孔８を設ける。
【００３８】
さらに、前記ケース体ａの第１小径貫通孔４と第２小径貫通孔５とに下方部が嵌込み、且下端部が係止機構１１によって係止され、前記第１小径貫通孔４に飛出する部位にスプリング１２を捲廻する頭部１０付きピン９を、前記第１小径貫通孔４から前記嵌挿部３に嵌挿する。
【００３９】
つぎに、シャンク取付け体ｓの構成を説明する。
【００４０】
前記嵌挿部３と前記第１小径貫通孔４に嵌挿し、内側部に貫通孔１３を、外周部１４ａに係止部１５を、且前記貫通孔１３の前方部の開口部１４と前記係止部１５との間に前記開口部１４の側方を上方とし、前記貫通孔１３に達する傾斜状切込み部１６を形成する。
【００４１】
さらに、前記係止部１５と前記傾斜状切込み部１６との間の外周部１４ａにスプリング１７を捲廻し、且前記スプリング１７の上方部は、前記傾斜状切込み部１６に嵌挿する。また前記スプリング１７の下方部を前記係止部１５に係止する。以上がシャンク取付け体ｓの構成である。
【００４２】
そして、該シャンク取付け体ｓには、先端工具Ｃのシャンク２４を図３のように嵌脱する。
【００４３】
また、前記シャンク取付け体ｓを嵌挿する外側カバーｋの構成を説明する。
【００４４】
該外側カバーｋは、前記ケース体ａに嵌挿可能な外径を有し、且前記シャンク取付け体ｓの頭部１４ｂが嵌挿する貫通部１８と、前記シャンク取付け体ｓのスプリング１７が係止する段部１８ａ付き拡径嵌挿孔１９をもって構成されている。
【００４５】
そして、前記外側カバーｋに嵌挿する内側カバーｎの構成について説明する。
【００４６】
該内側カバーｎは、後方部に前記シャンク取付け体ｓの係止部１５に係止する鍔部２０を形成している。
【００４７】
また、該内側カバーｎは、前記スプリング１７の外側方を被覆し前記外側カバーｋに嵌挿し組立てる。
【００４８】
さらに、前記外側カバーｋの貫通孔１８に、前記シャンク取付け体ｓの頭部１４ｂを嵌挿すると共に、前記内側カバーｎを前記シャンク取付け体ｓの下方部より挿込み、前記外側カバーｋと嵌着してチャック体ｂを形成する。
【００４９】
また、前記チャック体ｂを構成するシャンク取付け体ｓの頭部１４ｂと反対側の部位を、前記ケース体ａの第１小径貫通孔４に嵌挿する。
【００５０】
そして、飛出状態の前記ピン９を、前記シャンク取付け体ｓの貫通孔１３内に嵌挿する。
【００５１】
さらに、前記先端工具Ｃを構成するシャンク２４の底部２２には、前記ピン９の頭部１０に嵌合する受部２３を形成する。さらに前記シャンク２４の外周部２４ａに前記スプリング１７が係止する凹溝２５を形成する。
【００５２】
つぎに、先端工具Ｃをセットする工程は、前記シャンク取付け体ｓの貫通孔１３に、前記先端工具Ｃのシャンク２４を嵌挿し、前記ピン９の頭部１０が前記底部２２の受部２３内に嵌合する。その際前記凹溝２５の一部分に前記貫通孔１３より飛出するスプリング１７が嵌込む。
【００５３】
上記は先端工具Ｃの嵌込みの工程であるが、反対に先端工具Ｃを離脱するには以下のようにする。
【００５４】
飛出状態の前記外側カバーｋを押圧すると、前記スプリング１７が前記凹溝２５から離脱するので、押圧しながら前記先端工具Ｃをシャンク取付け体ｓから離脱する。
【００５５】
さらに本考案は、前記ピン９の頭部１０が台形状のときは、先端工具Ｃのシャンク２４の底部２２の受部２３も台形状とする。
【００５６】
また、前記ピン９の頭部１０が、角形状のときは、先端工具Ｃのシャンク２４の底部２２の受部２３も角形状とする。
【００５７】
さらに、前記ケース体ａの一端部１寄りの外周部３ａには、突起部２６を形成せしめる。
【００５８】
つぎに、本考案の第２実施例の電動工具のチャック機構を説明する。
【００５９】
本考案の第２実施例のチャック機構も、前記したチャック機構Ａと同じように、電動工具に装着し回転運動を直線運動に変換せしめる運動変換機構Ｂに接続の先端工具Ｃが着脱自在な電動工具のチャック機構Ａにして、ケース体ａとチャック体ｂとからなっている。
【００６０】
前記チャック機構Ａを構成する部材の一つである前記ケース体ａは、一端部１に開口状の嵌挿部３を有し、前記嵌挿部３からケース体ａの他端部２にかけて、前記嵌挿部３の径よりも径が小さい角形状嵌挿部４ａを形成し、前記角形状嵌挿部４ａと前記他端部２との間に運動変換機構Ｂの出力軸部７を螺着する螺孔８を設ける。
【００６１】
つぎに、前記チャック機構Ａを構成する部材のチャック体ｂの構成を説明する。
【００６２】
該チャック体ｂを構成するシャンク取付け体ｓの形態を説明する。
【００６３】
前記シャンク取付け体ｂは、前記嵌挿部３と前記角形状嵌挿部４ａに嵌挿し、内側部に貫通孔１３を、外周部１４ａに係止部１５を形成し、且前記貫通孔１３の前方開口部１４と、前記係止部１５との間に前記開口部１４の側方を上方とし、前記貫通孔１３に達する傾斜状切込み部１６を形成する。そして前記係止部１５と前記傾斜状切込み部１６との間の外周部１４ａにスプリング１７を捲廻し、且前記スプリング１７の上方部を前記傾斜状切込み部１６に嵌挿する。他方前記スプリング１７の下方部は、前記係止部１５に係止する。
【００６４】
以上がシャンク取付け体ｓの構成である。
【００６５】
つぎに前記チャック体ｂを構成する外側カバーｋについて説明する。
【００６６】
該外側カバーｋは、前記ケース体ａに嵌挿可能な外径を有し、且前記シャンク取付け体ｓの頭部１４ｂが嵌挿する貫通孔１８とを有する。さらに前記シャンク取付け体ｓのスプリング１７が係止する段部１８ａ付き拡径嵌挿孔１９が形成されている。
【００６７】
さらに前記チャック体ｂを構成する内側カバーｎについて説明する。
【００６８】
前記シャンク取付け体ｓの後方部が嵌挿する嵌挿部２０ａと、係止部１５が係止する鍔部２０を形成する。そして前記スプリング１７の外側方を被覆する嵌挿部２０ｂをも一体として形成する。
【００６９】
以上の構成部材であるシャンク取付け体ｓと、外側カバーｋと内側カバーｎとは、以下のようにする。
【００７０】
前記外側カバーｋの貫通孔１８に、前記シャンク取付け体ｓの頭部１４ｂを嵌挿すると共に、前記内側カバーｎを前記シャンク取付け体ｓの下方部より挿込み前記外側カバーｋと嵌着する。以上のようにしてチャック体ｂが組立てられる。
【００７１】
前記のようにして組立てられたチャック体ｂは、シャンク取付け体ｓの頭部１４ｂと反対側の部位を、前記ケース体ａの角形状嵌挿部４ａに嵌挿する。
【００７２】
以上が第２実施例の本考案のチャック機構Ａである。
【００７３】
つぎに、前記先端工具Ｃは以下の構成からなっている。
【００７４】
シャンク２４の外周部２４ａに、前記スプリング１７が係止する凹溝２５が形成されている。前記チャック体ｂのシャンク取付け体ｓの貫通孔１３に、前記先端工具Ｃのシャンク２４を嵌挿すると、前記凹溝２５の一部分に、前記貫通孔１３より飛出するスプリング１７が嵌込み確実に嵌着する。
【００７５】
さらに、前記外側カバーｋを押圧すると、前記スプリング１７が前記凹溝２５から離脱し、前記先端工具Ｃがシャンク取付け体ｓから離脱する。
【００７６】
また、前記ケース体ａの一端部寄りの外周部３ａに突起部２６を形成せしめてもよい。
【００７７】
さらに、第３実施例の本考案のチャック機構Ａの構成について説明する。
【００７８】
前記第３実施例のチャック機構Ａが、第１、第２実施例のチャック機構Ａと相違する点は、チャック体ｂを構成するシャンク取付け体ｓと外側カバーｋの構造だけである。
【００７９】
従って、第３実施例のチャック機構Ａを構成するケース体ａについての説明は上記各実施例と同じなので省略する。
【００８０】
第３実施例のシャンク取付け体ｓは下記の構成からなっている。
【００８１】
前記シャンク取付け体ｓは、内側部に貫通孔１３を、外周部１４ａに係止部１５を形成する。そして前記貫通孔１３の前方部の開口部１４と前記係止部１５との間に、球体１６ｂの貫通孔１６ａを形成する。さらに前記係止部１５と前記貫通孔１６ａとの間の外周部１４ａにスプリング１７を捲廻し、且前記開口部１４寄りの外周部１４ａの先端部に形成した凹部１６ｄに止めリング１６ｃを嵌挿し、且前記先端工具ｃのシャンク２４を嵌挿するものである。
【００８２】
つぎに、第３実施例の外側カバーｋの構成について説明する。
【００８３】
前記ケース体ａに嵌挿可能な外径を有し、且前記シャンク取付け体ｓの頭部１４ｂが嵌挿する貫通孔１８と、前記シャンク取付け体ｓのスプリング１７が係止する段部１８ａ付き拡径嵌挿孔１９を有する。
【００８４】
以上の構成が外側カバーｋの構成である。
【００８５】
図１６は、前記第３実施例のケース体ａにピン９が嵌挿し、且スプリング１７と球体１６ｂとを嵌り込み後前記外側カバーｋを嵌挿し、凹部１６ｄに止めリング１６ｃを嵌挿することによってチャック体ｂが組立てられる。
【００８６】
そして、前記先端工具ｃのシャンク２４を開口部１４から挿入すると、ピン９の頭部１０が受部２３内に嵌挿し、同時に球体１６ｂが凹溝２５に嵌込み前記先端工具ｃを確実に固着する。
【００８７】
さらに、本考案のチャック機構Ａにチャックする先端工具ｃは、スクレーパー２７、たがね２８等である。
【図面の簡単な説明】
【００８８】
【図１】本考案電動工具における先端工具のチャック機構の正面図である。
【００８９】
【図２】運動変換機構を接続する同機構の縦断正面図である。
【００９０】
【図３】図２の機構に一部切欠の先端工具を接続せしめた縦断正面図である。
【００９１】
【図４】図３の機構から先端工具を離脱せしめた状態の一部切欠縦断正面図である。
【００９２】
【図５】同機構の構成部材を分解した状態の一部切欠縦断正面図である。
【００９３】
【図６】同機構を構成するチャック体の構成部材を分解した状態の正面図である。
【００９４】
【図７】先端工具の底部に嵌挿するピンの頭部が６角形状のチャック機構の正面図である。
【００９５】
【図８】図７のチャック機構の一部切欠拡大縦断正面図である。
【００９６】
【図９】図７のチャック機構に先端工具を嵌挿せしめた一部切欠拡大縦断正面図である。
【００９７】
【図１０】図９のチャック機構から先端工具を離脱せしめた一部切欠拡大縦断正面図である。
【００９８】
【図１１】運動変換機構を接続する同機構の第２実施例を示す正面図である。
【００９９】
【図１２】図１１の機構の一部切欠拡大縦断正面図である。
【０１００】
【図１３】先端工具を嵌着せしめたチャック機構の一部切欠拡大縦断正面図である。
【０１０１】
【図１４】図１３の状態から先端工具を離脱せしめた一部切欠拡大縦断正面図である。
【０１０２】
【図１５】第２実施例のチャック機構のケース体とチャック体とを組立てる前の一部切欠拡大縦断面図である。
【０１０３】
【図１６】第３実施例のチャック機構のケース体とチャック体とを組立てると共に、先端工具を嵌着した状態の一部切欠拡大縦断面図である。
【０１０４】
【図１７】図１６の組立て状態から先端工具を離脱した状態の一部切欠拡大縦断面図である。
【０１０５】
【図１８】スクレーパーの正面図である。
【０１０６】
【図１９】スクレーパーの第２実施例の正面図である。
【０１０７】
【図２０】たがねの正面図である。
【符号の説明】
【０１０８】
Ａ        チャック機構
Ｂ        運動変換機構
Ｃ        先端工具
ａ        ケース体
ｂ        チャック体
ｓ        シャンク取付け体
ｋ        外側カバー
ｎ        内側カバー
１        端部
２        他端部
３        嵌挿部
３ａ      外周部
４        第１小径貫通孔
４ａ      角形状嵌挿部
５        第２小径貫通孔
６        拡径貫通孔
９        ピン
１０      頭部
１１      係止機構
１２      スプリング
１３      貫通孔
１４      開口部
１４ａ    外周部
１４ｂ    頭部
１５      係止部
１６      切込み部
１６ａ    貫通孔
１６ｂ    球体
１６ｃ    止めリング
１６ｄ    凹部
１７      スプリング
１８      貫通部
１８ａ    段部
１８ｂ    凹部
１９      貫通孔
２０      鍔部
２２      底部
２３      受部
２４      シャンク
２４ａ    外周部
２５      凹溝
２６      突起部
２７      スクレーパー
２８      たがね
【図１】
0003132066.tif 000003
【図２】
0003132066.tif 000004
【図３】
0003132066.tif 000005
【図４】
0003132066.tif 000006
【図５】
0003132066.tif 000007
【図６】
0003132066.tif 000008
【図７】
0003132066.tif 000009
【図８】
0003132066.tif 000010
【図９】
0003132066.tif 000011
【図１０】
0003132066.tif 000012
【図１１】
0003132066.tif 000013
【図１２】
0003132066.tif 000014
【図１３】
0003132066.tif 000015
【図１４】
0003132066.tif 000016
【図１５】
0003132066.tif 000017
【図１６】
0003132066.tif 000018
【図１７】
0003132066.tif 000019
【図１８】
0003132066.tif 000020
【図１９】
0003132066.tif 000021
【図２０】
0003132066.tif 000022